(57)【要約】  歯科用インプラント包装容器を提供する。歯科用インプラントのフィクスチャーが収容可能なフィクスチャー収容空間と、ヒーリングアバットメント及びカバースクリューのうち何れか一つが収容可能な補助収容空間とを区画する隔壁部が内部に設けられ、両端部にそれぞれ開口された第１開口及び第２開口が形成される本体と、フィクスチャー収容空間の少なくとも一部の空間に収容されてフィクスチャー収容空間に収容されるフィクスチャーを所定高さで支持するレベラーと、本体に着脱自在に結合されて第１開口を遮断する第１蓋と、本体に着脱自在に結合されて第２開口を遮断する第２蓋と、を含むことを特徴とする歯科用インプラント包装容器。本発明によれば、ヒーリングアバットメント及びカバースクリューのうち何れか一つと、フィクスチャーを単純な構造で保管でき、かつインプラント施術時において、ヒーリングアバットメントまたはカバースクリューとフィクスチャーとを容易に引き出しうる。
2010506651.tif 000002
【特許請求の範囲】
【請求項１】
歯科用インプラントのフィクスチャーが収容可能なフィクスチャー収容空間と、ヒーリングアバットメント及びカバースクリューのうち何れか一つが収容可能な補助収容空間とを区画する隔壁部が内部に設けられ、両端部にそれぞれ開口された第１開口及び第２開口が形成される本体と、
前記フィクスチャー収容空間の少なくとも一部の空間に収容されて前記フィクスチャー収容空間に収容される前記フィクスチャーを所定高さで支持するレベラーと、
前記本体に着脱自在に結合されて前記第１開口を遮断する第１蓋と、
前記本体に着脱自在に結合されて前記第２開口を遮断する第２蓋と、を含むことを特徴とする歯科用インプラント包装容器。
【請求項２】
前記レベラーの下端には、
底面から突出される定着突起が設けられ、
前記隔壁部の前記レベラーとの対向側には、
前記定着突起が係合される定着溝が形成されていることを特徴とする請求項１に記載の歯科用インプラント包装容器。
【請求項３】
前記隔壁部の前記補助収容空間側には、
ヒーリングアバットメント及びカバースクリューのうち何れか一つが少なくとも一部挿入収容される挿入収容孔が形成されることを特徴とする請求項１に記載の歯科用インプラント包装容器。
【請求項４】
前記挿入収容孔は、
前記隔壁部から延設される中空シリンダーによって形成され、
前記定着溝と前記挿入収容孔は、
相互連通されていることを特徴とする請求項３に記載の歯科用インプラント包装容器。
【請求項５】
前記レベラーは、
上端部が開口された円筒ボックス状を有し、
前記レベラーの上端部には、
チタン材のレベラー蓋が結合されることを特徴とする請求項１に記載の歯科用インプラント包装容器。
【請求項６】
前記第１開口を形成する前記本体の端部に結合されるチタン材の保護リングをさらに含むことを特徴とする請求項１に記載の歯科用インプラント包装容器。
【請求項７】
前記第１蓋には、
前記第１蓋の外周壁から半径方向に突設されたプッシュ突起が設けられていることを特徴とする請求項１に記載の歯科用インプラント包装容器。
【請求項８】
前記第１蓋の内壁上面には、
前記本体と結合時に前記フィクスチャーをプッシュするフィクスチャープッシュ部が設けられていることを特徴とする請求項１に記載の歯科用インプラント包装容器。
【請求項９】
前記第２蓋には、
外周壁の少なくとも一部の領域に凹凸状のプッシュ凹凸が形成されていることを特徴とする請求項１に記載の歯科用インプラント包装容器。
【請求項１０】
歯科用インプラントのフィクスチャーが収容可能なフィクスチャー収容空間と、ヒーリングアバットメント及びカバースクリューのうち何れか一つが収容可能な補助収容空間とを区画する隔壁部が内部に設けられ、両端部にそれぞれ開口された第１開口及び第２開口が形成される本体と、
前記フィクスチャー収容空間の少なくとも一部の空間に収容され、前記フィクスチャー収容空間に収容される前記フィクスチャーを把持するフィクスチャーホルダーと、
前記本体に着脱自在に結合されて前記第１開口を遮断する第１蓋と、
前記本体に着脱自在に結合されて前記第２開口を遮断する第２蓋と、を含むことを特徴とする歯科用インプラント包装容器。
【請求項１１】
前記フィクスチャーホルダーは、
中空状の中空シリンダー部と、
前記中空シリンダー部から円弧断面形状を有して上方に延設される円弧支持部と、
前記円弧支持部の内周壁に結合されて前記円弧支持部に挿入収容される前記フィクスチャーを把持する把持部と、を含むことを特徴とする請求項１０に記載の歯科用インプラント包装容器。
【請求項１２】
前記隔壁部の前記補助収容空間側には、
ヒーリングアバットメント及びカバースクリューのうち何れか一つが少なくとも一部挿入収容される挿入収容孔が形成されることを特徴とする請求項１０に記載の歯科用インプラント包装容器。
【請求項１３】
前記挿入収容孔は、
前記隔壁部から延設される中空シリンダーによって形成され、
前記定着溝と前記挿入収容孔は、
相互連通されていることを特徴とする請求項１２に記載の歯科用インプラント包装容器。
【請求項１４】
前記第１蓋には、
前記第１蓋の外周壁から半径方向に突設されたプッシュ突起が設けられていることを特徴とする請求項１０に記載の歯科用インプラント包装容器。
【請求項１５】
前記第２蓋には、
外周壁の少なくとも一部の領域に凹凸状のプッシュ凹凸が形成されていることを特徴とする請求項１０に記載の歯科用インプラント包装容器。
【発明の詳細な説明】
【技術分野】
【０００１】
本発明は、歯科用インプラント包装容器に係り、より詳細には、カバースクリューまたはヒーリングアバットメントのうち何れか一つと、フィクスチャー（Ｆｉｘｔｕｒｅ）をともに保管することができ、引き込み及び引き出しが容易な歯科用インプラント包装容器に関する。
【背景技術】
【０００２】
インプラントは、元々人体組職が喪失された時、回復させる代置物を意味するが、歯科では人工で作った歯牙を移植することを言う。喪失された歯根の代わりに人体に拒否反応のないチタン（ｔｉｔａｎｉｕｍ）などで作った歯根を抜歯された歯槽骨に植えた後、人工歯牙を固定させて歯牙の機能を回復させる施術である。
【０００３】
一般補綴物や総入れ歯の場合、経時的に周りの歯牙と骨とが傷むがインプラントは周辺歯牙組職を傷まないようにし、自然歯牙と機能や形状が同じながらも虫歯が生じないので半永久的に使用できる長所がある。
【０００４】
また、インプラントは、単一欠損歯の修復はもとより部分無歯牙及び完全無歯牙患者に義歯の機能を増進させて歯牙補綴修復の審美的な面を改善させる。さらに周りの支持骨組職に加えられる過度な応力を分散させ、かつ歯列の安定化に助けになる。
【０００５】
インプラントは、移植された人工歯牙、人工歯牙施術、人工歯牙施術に必要なフィクスチャ−（人工歯根）などを意味する用語として多様に使われるが、以下では、便宜上、人工歯牙施術時に使われるフィクスチャーを意味するものと限定して使う。
【０００６】
インプラントは、普通抗菌処理された密封手段として包装されて保管される。これは、歯槽骨に植立されるインプラント、すなわち、フィクスチャーが保管時に外部の異物や細菌などに汚染される場合、副作用をもたらすためである。
【０００７】
従来の歯科用インプラント包装容器として、インプラントを内部容器に収容させた後、内部容器に内部蓋を結合させ、引き続き、内部蓋が結合された内部容器を外部容器に再び収容させて外部蓋を外部容器に結合させることによって、インプラントを包装する歯科用インプラント包装容器が開示されたことがある。
【０００８】
また、ヒーリングアバットメントのような部品がインプラントの上端部に結合され、ヒーリングアバットメントのような部品が内部蓋に固定されたまま内部蓋と内部容器とが結合され、引き続き、内部蓋が内部容器を外部容器に収容させた後、外部蓋を外部容器に結合させることによって、インプラントを包装する歯科用インプラント包装容器が開示されたことがある。
【０００９】
しかし、このような従来の歯科用インプラント包装容器においては、二重構造によってインプラント施術時に包装容器を開封した後、インプラントを引き出すことが難しくてインプラント施術者が不便を感じる問題点があった。
【発明の概要】
【発明が解決しようとする課題】
【００１０】
本発明の目的は、ヒーリングアバットメント及びカバースクリューのうち何れか一つと、フィクスチャーを単純な構造で保管でき、かつインプラント施術時において、ヒーリングアバットメントまたはカバースクリューとフィクスチャーとを容易に引き出しうる歯科用インプラント包装容器を提供することである。
【課題を解決するための手段】
【００１１】
前記目的は、本発明によって、歯科用インプラントのフィクスチャーが収容可能なフィクスチャー収容空間と、ヒーリングアバットメント及びカバースクリューのうち何れか一つが収容可能な補助収容空間とを区画する隔壁部が内部に設けられ、両端部にそれぞれ開口された第１開口及び第２開口が形成される本体と、前記フィクスチャー収容空間の少なくとも一部の空間に収容されて前記フィクスチャー収容空間に収容される前記フィクスチャーを所定高さで支持するレベラーと、前記本体に着脱自在に結合されて前記第１開口を遮断する第１蓋と、前記本体に着脱自在に結合されて前記第２開口を遮断する第２蓋と、を含むことを特徴とする歯科用インプラント包装容器によって達成される。
【００１２】
ここで、前記レベラーの下端には、底面から突出される定着突起が設けられ、前記隔壁部の前記レベラーとの対向側には、前記定着突起が係合される定着溝が形成されていることが望ましい。
【００１３】
前記隔壁部の前記補助収容空間側には、ヒーリングアバットメント及びカバースクリューのうち何れか一つが少なくとも一部挿入収容される挿入収容孔が形成される。
【００１４】
前記挿入収容孔は、前記隔壁部から延設される中空シリンダーによって形成され、前記定着溝と前記挿入収容孔は、相互連通されることが望ましい。
【００１５】
前記レベラーは、上端部が開口された円筒ボックス状を有し、前記レベラーの上端部には、チタン材のレベラー蓋が結合されうる。
【００１６】
前記第１開口を形成する前記本体の端部に結合されるチタン材の保護リングをさらに含みうる。
【００１７】
前記第１蓋には、前記第１蓋の外周壁から半径方向に突設されたプッシュ突起が設けられることが望ましい。
【００１８】
前記第１蓋の内壁上面には、前記本体と結合時に前記フィクスチャーをプッシュするフィクスチャープッシュ部が設けられうる。
【００１９】
前記第２蓋には、外周壁の少なくとも一部の領域に凹凸状のプッシュ凹凸が形成される。
【００２０】
また、前記目的は、本発明によって、歯科用インプラントのフィクスチャーが収容可能なフィクスチャー収容空間と、ヒーリングアバットメント及びカバースクリューのうち何れか一つが収容可能な補助収容空間とを区画する隔壁部が内部に設けられ、両端部にそれぞれ開口された第１開口及び第２開口が形成される本体と、前記フィクスチャー収容空間の少なくとも一部の空間に収容され、前記フィクスチャー収容空間に収容される前記フィクスチャーを把持するフィクスチャーホルダーと、前記本体に着脱自在に結合されて前記第１開口を遮断する第１蓋と、前記本体に着脱自在に結合されて前記第２開口を遮断する第２蓋と、を含むことを特徴とする歯科用インプラント包装容器によっても達成される。
【００２１】
ここで、前記フィクスチャーホルダーは、中空状の中空シリンダー部と、前記中空シリンダー部から円弧断面形状を有して上方に延設される円弧支持部と、前記円弧支持部の内周壁に結合されて前記円弧支持部に挿入収容される前記フィクスチャーを把持する把持部と、を含むことが望ましい。
【００２２】
前記隔壁部の前記補助収容空間側には、ヒーリングアバットメント及びカバースクリューのうち何れか一つが少なくとも一部挿入収容される挿入収容孔が形成されることが望ましい。
【００２３】
前記挿入収容孔は、前記隔壁部から延設される中空シリンダーによって形成され、前記定着溝と前記挿入収容孔は、相互連通されうる。
【００２４】
前記第１蓋には、前記第１蓋の外周壁から半径方向に突設されたプッシュ突起が設けられうる。
【００２５】
前記第２蓋には、外周壁の少なくとも一部の領域に凹凸状のプッシュ凹凸が形成される。
【発明の効果】
【００２６】
本発明によれば、ヒーリングアバットメント及びカバースクリューのうち何れか一つと、フィクスチャーを単純な構造で保管でき、かつインプラント施術時において、ヒーリングアバットメントまたはカバースクリューとフィクスチャーとを容易に引き出しうる。
【図面の簡単な説明】
【００２７】
【図１】本発明の一実施形態による歯科用インプラント包装容器の斜視図である。
【図２】図１の分解斜視図である。
【図３】図２の断面図である。
【図４】図３のフィクスチャー収容空間にフィクスチャーが収容保管される状態を説明するための図である。
【図５】図３の補助収容空間にカバースクリューが収容保管される状態を説明するための図である。
【図６】本発明の他の実施形態による歯科用インプラント包装容器の分解斜視図である。
【図７】図６のフィクスチャーホルダーにマウントを装着したフィクスチャーが結合される動作を説明するための断面図である。
【図８】図６のフィクスチャーホルダーにアバットメントと一体型からなるフィクスチャーが結合される動作を説明するための断面図である。
【発明を実施するための形態】
【００２８】
本発明と本発明の動作上の利点及び本発明の実施によって達成される目的を十分に理解するためには、本発明の望ましい実施形態を例示する添付図面及び添付図面に記載の内容を参照しなければならない。
【００２９】
以下、添付図面を参照して、本発明の望ましい実施形態を説明することによって、本発明を詳しく説明する。各図面に付された同じ参照符号は、同じ部材を表わす。
【００３０】
図１は、本発明の一実施形態による歯科用インプラント包装容器の斜視図であり、図２は、図１の分解斜視図であり、図３は、図２の断面図であり、図４は、図３のフィクスチャー収容空間にフィクスチャーが収容保管される状態を説明するための図であり、図５は、図３の補助収容空間にカバースクリューが収容保管される状態を説明するための図である。
【００３１】
これら図に示されたように、本発明の一実施形態による歯科用インプラント包装容器１は、フィクスチャー３を収容するフィクスチャー収容空間１１とカバースクリュー５（Ｃｏｖｅｒ  Ｓｃｒｅｗ）またはヒーリングアバットメント（図示せず、Ｈｅａｌｉｎｇ  Ａｂｕｔｍｅｎｔ）を収容する補助収容空間２１とを備える円筒状の本体１０と、フィクスチャー３を支持した状態でフィクスチャー収容空間１１に着脱自在に収容結合されるレベラー４０と、本体１０に着脱自在に結合されて本体１０の一端に形成された第１開口１２を遮断する第１蓋５０と、本体１０に着脱自在に結合されて本体１０の他端に形成された第２開口２２を遮断する第２蓋６０とを備える。補助収容空間２１には、カバースクリュー５またはヒーリングアバットメントのような部品が収容されるが、本実施形態では、カバースクリュー５が収容されるものについて説明する。
【００３２】
まず、本体１０は、外から本体１０の内部に存在する製品を確認できるように透明または半透明プラスチックからなるアンプルボディー（Ａｍｐｕｌｅ  Ｂｏｄｙ）であって、本体１０の内部には、フィクスチャー３を収容するフィクスチャー収容空間１１とカバースクリュー５を収容する補助収容空間２１とを区画する隔壁部３０が設けられている。
【００３３】
隔壁部３０は、レベラー４０が結合されて支持されるようにフィクスチャー収容空間１１に向けた隔壁部３０の一面に形成される定着溝３３と、カバースクリュー５が収容保管されるように補助収容空間２１に向けた隔壁部３０の他面に形成されている中空シリンダー３４の中央領域に設けられた挿入収容孔３５と、定着溝３３と挿入収容孔３５とを連通させる連通孔３６とを備える。これらについては、以下の他の構成要素の説明時に詳しく説明する。
【００３４】
レベラー４０は、本体１０のフィクスチャー収容空間１１に挿入収容可能に円筒ボックス状を有し、上端部が開口されて開口された部位にレベラー蓋４１が結合される構造を有する。このようなレベラー４０は、フィクスチャー３の直径及び長さによってそれぞれ異なる形状が使われうる。したがって、施術者は、レベラー４０の外面に表示されている数字４５を通じてフィクスチャー収容空間１１に保管されたフィクスチャー３の種類が分かる。本実施形態では、多様なフィクスチャーのうち、大径で長さの短いフィクスチャー３を支持するのに適切なレベラー４０を示しているが、例えば、本実施形態のフィクスチャー３より長いフィクスチャー（図示せず）をフィクスチャー収容空間１１に保管する場合、レベラー（図示せず）の長さは、本実施形態のレベラー４０よりさらに短いものが使われうる。
【００３５】
一方、レベラー４０の下端には、底面から突出される定着突起４３が設けられるが、このような定着突起４３は、隔壁部３０に形成された定着溝３３と係合されることによって、フィクスチャー収容空間１１でレベラー４０が安定的でありながらも、搖れずに収容保管されるようにする。定着突起４３の形状についてより詳しく説明すれば、図３に示されたように、定着突起４３の下側部４３ａが上側部４３ｂよりさらに凸状になり、定着溝３３またはこのような形状の定着突起４３に対応する形状を有することによって、定着突起４３が定着溝３３に結合され、したがって、レベラー４０は、フィクスチャー収容空間１１で適切に支持されうる。
【００３６】
レベラー蓋４１は、チタン材質からなってフィクスチャー収容空間１１に収容保管されるフィクスチャー３を直接支持する部分であって、チタン材質からなるフィクスチャー３を支持するのに適しながらも、レベラー４０の開口に適切に結合される。レベラー蓋４１がチタン材質からなる理由は、フィクスチャー３がフィクスチャー収容空間１１に保管される期間の間にチタン材のフィクスチャー３の性質が変わることを防止するためである。
【００３７】
例えば、フィクスチャー３が異なる材質、例えば、プラスチックからなる別途の収容部（図示せず）に収容されて保管される場合、チタン材のフィクスチャー３のネジ部は、プラスチック収容部との接触によって性質が変わることがあり、これによりインプラント施術時に歯茎状態を汚染させるか、副作用をもたらす恐れがある。したがって、このような問題点を防止するために、レベラー蓋４１またはフィクスチャー３の材質と実質的に同一なチタンからなる。
【００３８】
一方、フィクスチャー収容空間１１の開口部、すなわち、第１開口１２を形成する本体１０の領域には、フィクスチャー３の上部がプラスチックからなる本体１０と直接接触しないように、チタン材の保護リング１３が挿設される。チタン材の保護リング１３がフィクスチャー３の上部の外径部と直接接触することによって、フィクスチャー３が異なる物性を有した物質（例えば、プラスチック）によって性質が変わることを沮止できるだけではなく、フィクスチャー３の上部の外径と保護リング１３の内径とがほぼ一致されることによって、フィクスチャー収容空間１１でフィクスチャー３がある程度支持されうる。
【００３９】
フィクスチャー収容空間１１の第１開口１２を形成する本体１０の領域には、その内部に収容保管されたフィクスチャー３の外部離脱を防止し、外部からの異物のフィクスチャー３との接触を防止するために、第１蓋５０が結合されて第１開口１２を遮断する。
【００４０】
第１蓋５０は、フィクスチャー収容空間１１へのフィクスチャー３の引き出しを容易にするために、第１開口１２を形成する本体１０の領域に着脱自在に結合される。図４に詳しく示されたように、本体１０の端部のうちフィクスチャー収容空間１１側の端部は、第１蓋５０が着脱自在に結合されるように本体１０の中央領域の外径より小さな外径を有する。また、第１開口１２を形成する本体１０の外面には、円周方向に沿って突出された突出部１５が設けられており、第１蓋５０の内面には、円周方向に沿って本体１０の突出部１５に対応する溝部５５が設けられて、第１蓋５０が第１開口１２を形成する本体１０の突出部１５に係合され、これにより、本体１０から第１蓋５０を分離させるためには、若干の人為的な力を加えなければならない。
【００４１】
このために、第１蓋５０には、第１蓋５０の外周壁から半径方向に突設されたプッシュ突起５１が設けられており、このようなプッシュ突起５１を若干の力でプッシュすれば、第１蓋５０は、本体１０から容易に分離されうる。
【００４２】
また、第１蓋５０の内壁上面には、本体１０と結合時にフィクスチャー収容空間１１のレベラーに収容保管されたフィクスチャー３を一定圧力で押してフィクスチャー３の位置を保持させるフィクスチャープッシュ部５２が設けられている。フィクスチャープッシュ部５２によってフィクスチャー３は、フィクスチャー収容空間１１に搖れずに一定位置を保持して保管されうる。
【００４３】
このように、フィクスチャー３は、図４に詳しく示されたように、レベラー蓋４１が上面に結合されるレベラー４０と、保護リング１３及び第１蓋５０のフィクスチャープッシュ部５２によってフィクスチャー収容空間１１で適切に支持された状態で保管されうる。
【００４４】
一方、前述したように、本体１０には、フィクスチャー３を収容するフィクスチャー収容空間１１の以外にも、フィクスチャー３の上部に形成された雌ネジ部（図示せず）に結合されるカバースクリュー５を補助的に収容できるように補助収容空間２１が設けられている。本実施形態では、補助収容空間２１にカバースクリュー５が収容保管されるものについて詳述するが、必要によってフィクスチャー３の上面に形成された雌ネジ部に結合されてフィクスチャー３が歯槽骨に骨癒着する期間の間に結合されているヒーリングアバットメント（図示せず）が収容保管されるということは勿論であり、それ以外の他の補助部品が収容保管されることもある。
【００４５】
補助収容空間２１には、カバースクリュー５の一部分、すなわち、フィクスチャー３の雌ネジ部と螺合するカバースクリュー５の雄ネジ部とを挿入収容する挿入収容孔３５が設けられている。このような挿入収容孔３５は、隔壁部３０から補助収容空間２１に向けて延びる中空シリンダー３４に設けられる。カバースクリュー５は、直接歯槽骨に埋植される要素ではないために、チタン材の収容部によって支持される必要がなく、これによって、単に挿入収容孔３５に一部を挿入収容させて保管されうる。
【００４６】
本体１０の補助収容空間２１側の端部、すなわち、第２開口２２を形成する本体１０の領域には、挿入収容孔３５からカバースクリュー５が離脱しないように第２蓋６０が結合される。この際、第２蓋６０の外部壁には、第２開口２２から第２蓋６０が容易に着脱されるように凹凸状のプッシュ凹凸６１が形成されている。
【００４７】
第２蓋６０の内面と第２開口２２を形成する本体１０の領域の外面には、相互対応する結合部が設けられ、特にプッシュ凹凸６１が形成される第２蓋６０の内側部には、係止部６４が形成され、これに対応する第２開口１２を形成する本体１０の領域の外面には、係止溝２４が形成されて相互間に安定的に結合状態を保持することができる。また、外部壁に形成されたプッシュ凹凸６１をユーザが手で押せば、本体１０から第２蓋６０は容易に分離されうる。
【００４８】
一方、フィクスチャー収容空間１１と補助収容空間２１とを区画する隔壁部３０の中央領域には、補助収容空間２１側の挿入収容孔３５と、フィクスチャー収容空間１１側の定着溝３３が連通されるように連通孔３６とが形成されている。これは、フィクスチャー収容空間１１でレベラー４０の定着突起４３が隔壁部３０の定着溝３３に過度に係合されてフィクスチャー収容空間１１の方向でレベラー４０を分離することができない場合や、カバースクリュー５が挿入収容孔３５にむりやり結合されて分離が容易ではない場合に、相互反対側で錐のような道具を用いて押すためである。
【００４９】
例えば、レベラー４０の定着突起４３が隔壁部の定着溝３３にむりやり結合されて分離が容易ではない場合、補助収容空間２１で連通孔３６に錐のような道具を用いて定着突起３３を押すことによって、容易に定着溝３３からレベラー４０を分離させることができる。
【００５０】
以下では、このような構成を有する本発明の一実施形態による歯科用インプラント包装容器の組立方法と、フィクスチャー及びカバースクリューを保管及び引き出す動作とについて説明する。
【００５１】
まず、歯科用インプラント包装容器１の本体１０の内部領域のうちフィクスチャー収容空間１１にフィクスチャー３を収容保管させるために、本体１０の端部に形成された第１開口１２を遮断している第１蓋５０を分離させる。この際、第１蓋５０の外部壁に設けられたプッシュ突起５１を手の親指などで押すことによって、第１開口１２を遮断している第１蓋５０を容易に分離することができる。引き続き、レベラー４０の外面に表示された数字４５（図２参照）を用いてフィクスチャー３の形状に適当なレベラー４０を選択した後、レベラー４０の上部にチタン材のレベラー蓋４１を結合させる。
【００５２】
レベラー蓋４１を結合させた後、レベラー４０をフィクスチャー収容空間１１に引き込ませる。レベラー４０の下面に形成された定着突起４３と隔壁部３０に形成された定着溝３３とが係合されるために、レベラー４０はフィクスチャー収容空間１１に堅く支持されうる。以後、フィクスチャー収容空間１１の上部領域、すなわち、第１開口１２を形成する本体１０の領域の内側に保護リング１３を結合させる。保護リング１３またはレベラー蓋４１と同様にチタン材質からなるために、フィクスチャー３が歯科用インプラント包装容器１に保管される期間の間にフィクスチャー３の性質が変わることを沮止することができる。
【００５３】
以後、フィクスチャー収容空間１１にフィクスチャー３を挿入してレベラー蓋４１の上面にフィクスチャー３を支持させた後、第１蓋５０を第１開口１２が遮断されるように本体１０に結合させる。第１蓋５０の内壁上面には、フィクスチャープッシュ部５２が突出されており、結合時にフィクスチャー３の上端部を加圧し、したがって、フィクスチャー３が安定的に保管されうる。
【００５４】
一方、フィクスチャー収容空間１１に収容されたフィクスチャー３を引き出す動作は、前述した動作の逆過程であるので、これについての説明は省略する。
【００５５】
一方、補助収容空間２１にカバースクリュー５を収容させるためには、まず第２開口２２を遮断している第２蓋６０を本体１０から分離させる。この際、第２蓋６０の外部壁には、プッシュ凹凸６１が設けられて第２開口２２を形成する本体１０の領域から第２蓋６０を容易に分離させることができる。
【００５６】
引き続き、補助収容空間２１に設けられた中空シリンダー３４のうち挿入収容孔３５にカバースクリュー５を挿入させた後、第２蓋６０を再び本体１０に結合させれば、補助収容空間２１に対するカバースクリュー５の収容が完了する。補助収容空間２１からカバースクリュー５を引き出す動作は、前記動作の逆過程であるので、これについては省略する。
【００５７】
このように、本実施形態の歯科用インプラント包装容器１は、外部に存在する細菌及び異物の浸透を遮断できるだけではなく、一つの歯科用インプラント包装容器１にフィクスチャー３及びカバースクリュー５またはヒーリングアバットメント（図示せず）を同時に保管することができて、使用時に便利な長所がある。
【００５８】
また、保管時にチタン材のフィクスチャー３がチタン材のレベラー蓋４１、保護リング１３のみ接触するように構成することによって、フィクスチャー３の性質が変わることを防止することができる。
【００５９】
以下では、図６ないし図８を参照して、本発明の他の実施形態による歯科用インプラント包装容器について説明する。但し、本発明の一実施形態と同一な部分については、本発明の一実施形態の説明をそのまま準用し、本発明の一実施形態と異なる部分についてのみ説明する。
【００６０】
図６は、本発明の他の実施形態による歯科用インプラント包装容器の分解斜視図であり、図７は、図６のフィクスチャーホルダーにマウントを装着したフィクスチャーが結合される動作を説明するための断面図であり、図８は、図６のフィクスチャーホルダーにアバットメントと一体型からなるフィクスチャーが結合される動作を説明するための断面図である。
【００６１】
これら図に示されたように、本実施形態による歯科用インプラント包装容器１ａは、本発明の一実施形態によるレベラー４０の代わりにフィクスチャーホルダー７０を備える。
【００６２】
フィクスチャーホルダー７０は、図６に示されたように、中空状の中空シリンダー部７１と、中空シリンダー部７１から円弧（ほぼ半円）断面形状を有して上方に延設される円弧支持部７３と、円弧支持部７３の内周壁に結合されて円弧支持部７３に挿設されるフィクスチャー３ａ（図７参照）を把持する把持部７５とを備える。
【００６３】
この際、円弧支持部７３内でフィクスチャー３ａのネジ部、すなわち、歯槽骨に埋植される部分は、プラスチック材のフィクスチャーホルダー７０の内面と接触されない構造を有する。図７では、フィクスチャー３ａの植立時に使われるマウント６がフィクスチャー３ａに装着された状態で把持部７５が円弧支持部７３から若干離隔した状態でマウント６部分を把持することによって、マウント６と結合されたフィクスチャー３ａまたはフィクスチャーホルダー７０の内面と直接接触していない状態で支持されうる。
【００６４】
また、図８では、アバットメント７（Ａｂｕｔｍｅｎｔ）が一体型からなったフィクスチャー３ｂを把持部７５がアバットメント７部分を把持することによって、歯槽骨に植立されるフィクスチャー３ｂ部分がフィクスチャーホルダー７０の内面と直接接触していない状態で支持されうる。
【００６５】
一方、フィクスチャーホルダー７０に支持されるフィクスチャー３ａ、３ｂは、図７及び図８に示されたように、単にフィクスチャー３（図４参照）だけではなく、その上部にマウント６を装着しているか、アバットメント７と一体型からなるフィクスチャー３ａ、３ｂであるために、円弧支持部７３から第１開口１２方向に突出されるように結合される。このような構造上の理由で、第１蓋５０ａの内部壁の形状は、一実施形態のフィクスチャープッシュ部５２（図３参照）が設けられた第１蓋５０の形状とは異なって、フィクスチャープッシュ部５２が設けられない形状である。
【００６６】
このように、本発明の他の実施形態による歯科用インプラント包装容器１ａは、フィクスチャー３ａ、３ｂを支持するが、フィクスチャー３ａ、３ｂのネジ部と接触しないフィクスチャーホルダー７０を備えることによって、フィクスチャー３ａ、３ｂを安定的に保管しながらも、外部の異物を遮断することができる長所を有する。
【００６７】
前述した実施形態では、補助収容空間にカバースクリューが収容保管されるものと説明したが、場合によっては、ヒーリングアバットメントのようにインプラント施術時に使われる部品が収容されるということは当然である。
【００６８】
このように本発明は、前記実施形態に限定されるものではなく、本発明の思想及び範囲を外れずに多様に修正及び変形できるということは、当業者に自明である。したがって、そのような修正例または変形例は、本発明の特許請求の範囲に属すると言わなければならない。
【産業上の利用可能性】
【００６９】
本発明によれば、ヒーリングアバットメント及びカバースクリューのうち何れか一つと、フィクスチャーを単純な構造で保管でき、かつインプラント施術時において、ヒーリングアバットメントまたはカバースクリューとフィクスチャーとを容易に引き出しうる。
【図１】
2010506651.tif 000003
【図２】
2010506651.tif 000004
【図３】
2010506651.tif 000005
【図４】
2010506651.tif 000006
【図５】
2010506651.tif 000007
【図６】
2010506651.tif 000008
【図７】
2010506651.tif 000009
【図８】
2010506651.tif 000010
【国際調査報告】
2010506651.tif 000011
2010506651.tif 000012